(57)【要約】【課題】    沿岸部では地震による津波被害の危険が高く、多くの命が犠牲になっている。これは、津波の到来が予想以上に速いこと、特に、老人や障害者は高台に避難することが極めて困難であることが大きな要因とされている。そこで、津波が到来するまでに短時間で避難することが出来るようにした津波シェルターを提案する。【解決手段】      本発明は、開放自在な出入口を有し、閉鎖時に密閉状態を維持することで水面に浮上することが可能な避難用コンテナと、その４隅をガードして、上下にスライドできるようにガイドする複数本の鋼矢板からなる１組の支柱ユニット(台座)で構成し、津波の到来時においては出入口から避難コンテナ内に入り込んで避難する。このような構成により、津波シェルターの設置が容易となり、安全性、利便性、安価性を満足することができる。【選択図】図２
2011106142.tif 000002
【特許請求の範囲】
【請求項１】
土中に固定した台座と、この台座によって支持され、閉鎖時に密閉状態を維持する開放自在な出入口
を有した避難コンテナとから構成したことを特徴とする津波シェルター
【請求項２】
前記台座は、少なくとも対向して固定した鋼矢板よりなる１対の支柱ユニットで構成し、前記避難コンテナを前記台座内に設置したことを特徴とする請求項１に記載の津波シェルター。
【請求項３】
前記台座は、前記避難コンテナを昇降自在とするガイドを設けたことを特徴とする請求項１、２に記載の津波シェルター。
【請求項４】
前記避難コンテナは、前記台座の土中から上方に垂設する長さの範囲内で浮力により昇降自在に設けられ、前記台座の頂上部には前記避難コンテナの規定値以上の上昇を阻止するストッパーを設けたことを特徴とする請求項３に記載の津波シェルター。
【請求項５】
前記台座は、避難コンテナの外側に向かって鋭角となるように折曲部を形成し、該折曲部を津波が来る方向に配置したことを特徴とする請求項１、２に記載の津波シェルター。
【請求項６】
前記避難コンテナは、外側壁と天井壁と床壁により構成し、前記天井壁にハッチを設けたことを特徴とする請求項１に記載の津波シェルター。
【発明の詳細な説明】
【技術分野】
【０００１】
本発明は、地震による津波到来時に避難し、人的被害を小さくする津波シェルターに関するものである。
【背景技術】
【０００２】
近年、東アジアにおいて大地震が多発し、死傷者が多くでているが、死傷者が多い原因は津波に流されたときに、流木等で頭部等を打撲したことによるものである。津波災害に合わないためには、早く安全な処に避難することであるが、地震発生の場所が近いときには高台等へ避難する時間的余裕がなく、身近なところに避難施設が求められている。特に老人や障害者には高台への避難が不可能である。
【０００３】
そこで、津波の到来時には海面に浮遊するようになされた津波シェルターが提案された（特許文献１）。このシェルターは、通常の状態では津波シェルター本体が基礎地盤に載置されており、津波到来時には海面の上昇によって津波シェルター本体が基礎地盤から離れて海面に浮遊するように構成されている。
【先行技術文献】
【特許文献】
【０００４】
【特許文献１】特開２００８―７４３８５号公報（図１参照）
【発明の概要】
【発明が解決しようとする課題】
【０００５】
しかしながら、上記特許文献１の津波シェルターでは、津波シェルター本体と基礎地盤との間に連結された連結索および連結索の取り付け部の強度を相当強固なものにする必要がある。もし、連結索の強度が弱ければ、津波到来時の急激な海面上昇と想像を絶する海水の移動により、連結索が切断され津波シェルター本体が沖合いに流される危険がある。また、建物などの漂流物が連結索に絡まる等により、津波シェルター本体が水中に押し沈められ、水没した状態に置かれる事態も考えられ、危険である。
【０００６】
また、前記津波シェルターにおいては、浮遊中の揺動を抑制するとしているが、相当の揺れが想定され、津波シェルター本体内に身体を固定させる等の対策も必要になる。
【０００７】
そこで、本発明は上記問題点を解消し、津波到来時にも安定した姿勢を維持できる津波シェルター装置を低価格で提供することを目的とした。
【課題を解決するための手段】
【０００８】
本発明は、第１に、土中に固定した複数本の支柱からなる台座によって支持され、閉鎖時に密閉状態を維持する開放自在な出入口を有した避難コンテナとから構成したものである。
【０００９】
本発明は、第２に、前記台座は少なくとも対向して固定した鋼矢板よりなる１対の支柱ユニットで構成し、前記避難コンテナを前記台座内に設置したものである。
【００１０】
本発明は、第３に、前記台座は、前記避難コンテナを昇降自在とするガイドを設けたものである。
【００１１】
本発明は、第４に、前記避難コンテナは、前記台座の土中から上方に垂設する長さの範囲内で浮力により昇降自在に設けられ、前記台座の頂上部には前記避難コンテナの規定値以上の上昇を阻止するストッパーを設けたものである。
【００１２】
本発明は、第５に、前記ストッパーの高さの設定は、津波到来時に想定される最高水位とすることが望ましいが、津波は海岸付近の地形の影響を強く受ける性質があり、特に津波のエネルギーが集中しやすい岬(津波の屈折効果)や湾奥では津波の高さが高くなりやすく、海岸付近の数倍にもなることもあり、予測することは困難で、現実としては過去の津波被害等を参考として設定せざるを得ない。そして、ストッパーにより避難コンテナの上昇が停止した位置で該避難コンテナが水位上に、または水位が避難コンテナの上昇が停止した位置を越えるときは、一時的ではあるが水中に浮遊するものである。
【００１３】
本発明は、第６に、前記台座は、該台座内に配置した避難コンテナの外側に向かって鋭角となるように折曲部を形成し、該折曲部を津波が来る海岸方向に配置したものである。
【００１４】
本発明は、第７に、前記避難コンテナは、外側壁と天井壁と床壁により構成し、前記天井壁に外部の確認や、出入口が使用できないときに緊急の救出、避難をするハッチを設けたものである。
【発明の効果】
【００１５】
本発明は、土中に固定した台座によって支持され、閉鎖時に密閉状態を維持する開放自在な出入口を有した避難コンテナとから構成したものであるから、大地震の発生により短時間で津波が到達するような危険がある時には、出入口から避難コンテナ内に避難することが出来る。
【００１６】
また、前記台座は、少なくとも対向して固定した鋼矢板よりなる１対の支柱ユニットで構成し、該台座内に前記避難コンテナを設置したものであり、また、支柱の鋭角部を津波が来る海岸方向に向けて配置していることで、押し寄せた津波による衝撃が大きくとも、そのエネルギーを円滑に分散することができ、台座は強固に保持される。
【００１７】
そして、前記台座は、前記避難コンテナを昇降自在とするガイドを設けたものであるから、津波により水面が上昇した場合は、避難コンテナも上昇し、該避難コンテナが水中に浸される危険な時間を短くすることが出来る。
【００１８】
さらに、前記避難コンテナは前記台座の長さの範囲内で浮力により昇降自在に設けられ、前記台座には前記避難コンテナの規定値以上の上昇を阻止するストッパーを設けたものであるから、津波による水面の上昇に伴って避難コンテナも上昇するが、ストッパーによって台座から離れず、沖合いに流されるのを防止する。
【００１９】
また、前記ストッパーは、津波到来時に想定される最高水位の高さ以上に設定し、ストッパーにより避難コンテナの上昇が停止した位置で該避難コンテナが水位上に浮遊するものであるから、水位が想定される最高水位になったとしても避難コンテナは水位上に浮上しており、水中に浸される時間を短くすることができる。また、水位が避難コンテナの上昇が停止した位置を越えるときは、津波が引くまでの間一時的ではあるが水中に浮遊する。
【００２０】
そして、前記台座は、避難コンテナの外側に向かって鋭角なる折曲部を形成し、該折曲部を津波の到来方向に配置したものであるから、津波が到来したときに、その衝撃を折曲部が円滑に分散し、直接避難コンテナに加わる力を緩和して破損を防止することができる。
【００２１】
さらに、前記避難コンテナは、天井壁に外部の確認や、出入口が開閉できないときに緊急の救出、避難をするハッチを設けたものであるから、ハッチから避難コンテナがどのような高さ位置にあるか、どのような浮上状態かを察知したり、津波避難から逃げ遅れたときにハッチを利用し中に避難することができる。
【発明を実施するための最良の形態】
【００２２】
始めに図２の本発明の津波シェルター１の外観斜視図に基づき説明する。前記津波シェルター1は、土中に固定した複数本の支柱からなる台座２と、閉鎖時に密閉状態を維持する開放自在な出入口３を有した避難コンテナ４とで構成されている。
【００２３】
図３は、避難コンテナ４の外観斜視図で、対衝撃性の材料または成型によって形成した外側壁５、６、７、８と、同じく対衝撃性の材料または成型によって形成した天井壁９及び床壁１０により構成されている。
【００２４】
前記避難コンテナ４の前記外側壁５、７に設けた開放自在な出入口３、３は、閉鎖時には密閉状態を維持して避難コンテナ４内と外部とを遮断し、開放時には避難コンテナ４内への退避、避難コンテナ４外への脱出をすることが出来る。
【００２５】
１１は天井壁９に設けた対衝撃性のあるハッチで、該ハッチ１１を対衝撃性のあるガラスやプラスチックですることで、避難コンテナ４の上部に流木等が載っていないかなど外部の確認をすることができる。また、出入口３、３が開閉できないときに緊急の救出、避難をすることも可能である。
【００２６】
前記避難コンテナ４の外側壁５、７の外側に天井壁９の上へ上るための手すりを設け、天井壁９の上の外側周囲にも手すりを設けることで、避難に遅れたときに避難コンテナ４の出入口３、３の扉が閉鎖されていても該避難コンテナ４の上へ避難し、さらに、ハッチ１１から中に避難することが可能である。（図示せず）
【００２７】
図４は避難コンテナ４の平面図、図５は正面図、図６は側面図で、台座２は土中に固定した複数枚の鋼矢板１２、１２、１２、・・を結合して構成した支柱ユニット１３で、２つの支柱ユニット１３、１３を対向して１対の台座２とし、該台座２の内に前記避難コンテナ４を設置している。
【００２８】
前記支柱ユニット１３、１３を構成する鋼矢板１２、１２、１２、・・は、津波シェルター1を設置する場所や地質により、形状が規格化された鋼矢板（図７に汎用鋼矢板の事例を表示、Ｕ型鋼矢板（ａ）、ハット型鋼矢板（ｂ）、直線型鋼矢板（ｃ）がある。）および必要とする形状の鋼矢板を溶接により製作し、重機を用いて土中に打ち込み、固定させる。
【００２９】
前記支柱ユニット１３を構成するそれぞれの支柱の両側には、避難コンテナ４の横および縦へのはみ出しを防止するためのガイドとして、それぞれを独立した鋼矢板ですることもできるが、事例では溶接により製作した鋼矢板の支柱１４、１４を設けている。
【００３０】
これらの支柱１４、１４は上下方向に延設されており、避難コンテナ４の昇降をガイドするもので、水位が上昇した時に前記避難コンテナ４が支柱１４、１４に沿って土中から上方に垂設する長さ１５の範囲内で浮力により上昇し、水位が低下すると避難コンテナ４が支柱１４、１４に沿って下降する。
【００３１】
１６、１６は前記支柱１４、１４のそれぞれの上部に溶接、あるいはボルト固定等の方法で取り付けたストッパーで、前記避難コンテナ４が規定値以上に上昇するのを阻止し、避難コンテナ４が台座２から離れて海上に流されるのを防止する。
【００３２】
前記ストッパー１６、１６の規定値とは、津波到来時に想定される最高水位を指し、ストッパーはこの最高水位以上の位置に設け、避難コンテナ４の上昇が停止した位置で海上に流されず、該避難コンテナ４が水位上に浮遊するようにしている。゛
【００３３】
また、前記支柱１２、１２、１２、・・による支柱ユニット１３は図４に示すように該支柱ユニット１３、１３間に配置した避難コンテナ４の外側に向かって鋭角となる折曲部１７、１７を形成し、該折曲部を津波の到来方向と津波の引き方向に配置し、津波が到来したときに、その衝撃を折曲部が円滑に分散するようにしている。
【００３４】
前記折曲部の角度１７は、津波シェルターを設置する場所から想定される台座２が、津波から受ける応力、地質の柔硬度、鋼矢板を打ち込む深さに関連して設定される。
【００３５】
実施例として、図４では、避難コンテナ４のガイド支柱１４に溶接鋼矢板、ガイド支柱１４、１４および支柱ユニット１３の補強としてガイド支柱１４、１４の間に汎用のＵ型鋼矢板、先端の折曲部１７、１７には溶接鋼矢板、その他は汎用の直線型鋼矢板を用いた構成としたが、例えば、先端の折曲部１７、１７にはパイプ材を使用することもできる。また、本発明の津波シェルターの台座専用の鋼矢板を圧延あるいは溶接により成型加工して構成することができる。  
【００３６】
また、前記支柱ユニット１３の鋼矢板に囲まれた部分をコンクリートで固めたり、バラスを入れることで支柱ユニット１３を一体化し、より強固にすることができる。(図示せず)
【００３７】
前記台座２は、配置される避難コンテナ４の両端に据付台となるコンクリート基礎１９、１９を設けている。基礎１９、１９の地上高は、避難コンテナ４が津波で浮上し、元に戻るときに人や浮遊物が下敷きになっても良いように３０センチ以上が好ましい。上限は、避難コンテナ４がストッパー１６、１６で止まる最高値まで可能で、必要により出入口への階段を設ける必要がある。また、上限を最高値にした場合は、避難コンテナ４は可動しないことになるので、該避難コンテナ４を台座２に溶接、ボルト固定等で結合させればより安定、強化を図ることができる。
【００３８】
以上のように、本実施形態によれば、設置が容易で津波が到来しても安心して避難することができ、且つ、安価な津波シェルターが提供できる。また、避難が遅れた人も救助できるなど、臨機応変に対応が可能である。
【００３９】
さらに、近年、大きな津波被害を被ったインドネシア共和国やメラネシアなどの観光地の海岸に、今般発明の津波シェルターの支柱の最上部や避難コンテナに、世界統一された津波避難場所のロゴマークを表記するような仕組みを設け、設置できれば、安心して旅行することができる。
【産業上の利用可能性】
【００４０】
本発明により、津波到来時にも安定した姿勢を維持でき、安全を確保できる津波シェルターを、低価格で提供することができる。
【図面の簡単な説明】
【００４１】
【図１】図１は先行技術の津波本体シェルターの説明図である。
【図２】図２は本発明の津波シェルターの外観斜視図である。
【図３】図３は同じく避難コンテナ部の外観斜視図であるである。
【図４】図４は同じく平面図である。
【図５】図５は同じく正面図である。
【図６】図６は同じく側面図である。
【図７】図７は汎用鋼矢板の種類ごとの平面図である。
【符号の説明】
【００４２】
１  津波シェルター
２  台座          
３  避難用出入口
４  避難コンテナ  
５  正面側壁        
６  左側側壁              
７  後面側壁
８  右側側壁    
９  天井壁    
１０  床壁
１１  避難用ハッチ  
１２  鋼矢板
１３  支柱ユニット
１４  ガイド
１５  地上〜台座の頂上部までの長さ
１６  ストッパー
１７  折曲部
１８  折曲部の角度
１９  基礎
(ａ）  Ｕ型鋼矢板          
（ｂ）  ハット型鋼矢板  
（ｃ）  直線型鋼矢板
【図１】
2011106142.tif 000003
【図２】
2011106142.tif 000004
【図３】
2011106142.tif 000005
【図４】
2011106142.tif 000006
【図５】
2011106142.tif 000007
【図６】
2011106142.tif 000008
【図７】
2011106142.tif 000009
【手続補正書】
【提出日】平成22年2月24日(2010.2.24)
【手続補正１】
【補正対象書類名】特許請求の範囲
【補正対象項目名】全文
【補正方法】変更
【補正の内容】
【特許請求の範囲】
【請求項１】
土中に、少なくとも対向して固定した１対の支柱ユニットからなる台座と、閉鎖時に密閉状態を維持する開放自在な出入口を有した避難コンテナを備え、前記台座内に前記避難コンテナを配し、前記台座には前記避難コンテナの４隅をガードし、昇降自在とするガイドを設けたことを特徴とする津波シェルター。
【請求項２】
前記避難コンテナは、前記台座の土中から上方に垂設する長さの範囲内で浮力により昇降自在に設けられ、前記台座の頂上部には前記避難コンテナの規定値以上の上昇を阻止するストッパーを設けたことを特徴とする請求項1に記載の津波シェルター。
【請求項３】
前記台座は、避難コンテナの外側に向かって鋭角となるように折曲部を形成したことを特徴とする請求項１に記載の津波シェルター。
【請求項４】
前記避難コンテナは、外側壁と天井壁と床壁により構成し、少なくとも前記天井壁にハッチを設けたことを特徴とする請求項１に記載の津波シェルター。
【手続補正２】
【補正対象書類名】明細書
【補正対象項目名】全文
【補正方法】変更
【補正の内容】
【発明の詳細な説明】
【技術分野】
【０００１】
本発明は、地震による津波到来時に避難し、人的被害を小さくする津波シェルターに関するものである。
【背景技術】
【０００２】
近年、東アジアにおいて大地震が多発し、死傷者が多くでているが、死傷者が多い原因は津波に流されたときに、流木等で頭部等を打撲したことによるものである。津波災害に合わないためには、早く安全な処に避難することであるが、地震発生の場所が近いときには高台等へ避難する時間的余裕がなく、身近なところに避難施設が求められている。特に老人や障害者には高台への避難が不可能である。
【０００３】
そこで、津波の到来時には海面に浮遊するようになされた津波シェルターが提案された(特許文献１)。このシェルターは、通常の状態では津波シェルター本体が基礎地盤に載置されており、津波到来時には海面の上昇によって津波シェルター本体が基礎地盤から離れて海面に浮遊するように構成されている。
【先行技術文献】
【特許文献】
【０００４】
【特許文献１】特開２００８―７４３８５号公報(図１参照)
【発明の概要】
【発明が解決しようとする課題】
【０００５】
しかしながら、上記特許文献１の津波シェルターでは、津波シェルター本体と基礎地盤との間に連結された連結索および連結索の取り付け部の強度を相当強固なものにする必要がある。もし、連結索の強度が弱ければ、津波到来時の急激な海面上昇と想像を絶する海水の移動により、連結索が切断され津波シェルター本体が沖合いに流される危険がある。また、建物などの漂流物が連結索に絡まる等により津波シェルター本体が水中に押し沈められ、水没した状態に置かれる事態も考えられ、危険である。
【０００６】
また、前記津波シェルターにおいては、浮遊中の揺動を抑制するとしているが、相当の揺れが想定され、津波シェルター本体内に身体を固定させる等の対策も必要になる。
【０００７】
そこで、本発明は上記問題点を解消し、津波到来時にも安定した姿勢を維持できる津波シェルター装置を低価格で提供することを目的とした。
【課題を解決するための手段】
【０００８】
本発明は、第１に、土中に、少なくとも対向して固定した１対の支柱ユニットからなる台座と、閉鎖時に密閉状態を維持する開放自在な出入口を有した避難コンテナを備え、前記台座内に前記避難コンテナを配し、前記台座には前記避難コンテナの４隅をガードし、昇降自在とするガイドを設けている。
【０００９】
本発明は、第２に、前記避難コンテナは、前記台座の土中から上方に垂設する長さの範囲内で浮力により昇降自在に設けられ、前記台座の頂上部には前記避難コンテナの規定値以上の上昇を阻止するストッパーを設けたものである。
【００１０】
本発明は、第３に、前記台座は、該台座内に配置した避難コンテナの外側に向かって鋭角となるように折曲部を形成し、該折曲部を津波が来る海岸方向に配置したものである。
【００１１】
本発明は、第４に、前記避難コンテナは、外側壁と天井壁と床壁により構成し、前記天井壁に外部の確認や、出入口が使用できないときに緊急の救出、避難をするハッチを設けたものである。
【発明の効果】
【００１２】
本発明は、土中に固定した台座によって支持され、閉鎖時に密閉状態を維持する開放自在な出入口を有した避難コンテナとから構成したものであるから、大地震の発生により短時間で津波が到達するような危険がある時には、すぐに出入口から避難コンテナ内に避難することが出来る。
【００１３】
大規模な津波であっても、避難コンテナの４隅が台座によってガードされ、更に、台座には上下にスライドできるように昇降自在とするガイドが設けられていることから、  津波により水位が上昇しても避難コンテナは台座内に浮遊し水没することはない。
【００１４】
また、前記台座は、少なくとも対向して固定した１対の支柱ユニットで構成し、支柱の鋭角部を津波が来る海岸方向に向けて配置していることで、押し寄せた津波による衝撃が大きくとも、そのエネルギーを円滑に分散することができ、台座は強固に保持され、避難コンテナに加わる力を緩和して破損を防止することができる。
【００１５】
他の方法として、「一本のポールと、ポールに挿通され可動に取り付けられた避難者を収容する浮体がポールに沿って上昇又は下降出来る・・・」が考案されているが、この場合、ポールとそれに挿通されている浮体にかかる全ての波力のエネルギーを、１本のポールの基部で受け止めるには「梃子の原理」や、さらには浮体の重力を考えると、強度的に非常に無理があり、本発明との差が歴然です。
【００１６】
さらに、前記避難コンテナは前記台座の長さの範囲内で浮力により昇降自在に設けられ、前記台座には前記避難コンテナの規定値以上の上昇を阻止するストッパーを設けたものであるから、津波による水面の上昇に伴って避難コンテナも上昇するが、ストッパーによって台座から離れず、沖合いに流されるのを防止する。
【００１７】
また、前記ストッパーは、津波到来時に想定される最高水位の高さ以上に設定しているが、想定を越える津波であっても津波の特性として水没するのは一時的であり、避難コンテナは密閉されているので、危険性はほとんどない。
【００１８】
さらに、前記避難コンテナは、天井壁に外部の確認や、出入口が開閉できないときに緊急の救出、避難をするハッチを設けたものであるから、ハッチから避難コンテナがどのような高さ位置にあるか、どのような浮上状態かを察知したり、津波避難から逃げ遅れたときにハッチを利用し中に避難することができる。
【発明を実施するための最良の形態】
【００１９】
始めに図２の本発明の津波シェルター１の外観斜視図に基づき説明する。前記津波シェルター1は、土中に固定した複数本の支柱からなる台座２と、閉鎖時に密閉状態を維持する開放自在な出入口３を有した避難コンテナ４とで構成されている。
【００２０】
図３は、避難コンテナ４の外観斜視図で、対衝撃性の材料または成型によって形成した外側壁５、６、７、８と、同じく対衝撃性の材料または成型によって形成した天井壁９及び床壁１０により構成されている。
【００２１】
前記避難コンテナ４の前記外側壁５、７に設けた開放自在な出入口３、３は、閉鎖時には密閉状態を維持して避難コンテナ４内と外部とを遮断し、開放時には避難コンテナ４内への退避、避難コンテナ４外への脱出をすることが出来る。
【００２２】
１１は天井壁９に設けた対衝撃性のあるハッチで、該ハッチ１１を対衝撃性のあるガラスやプラスチックですることで、避難コンテナ４の上部に流木等が載っていないかなど外部の確認をすることができる。また、出入口３、３が開閉できないときに緊急の救出、避難をすることも可能である。
【００２３】
前記避難コンテナ４の外側壁５、７の外側に天井壁９の上へ上るための手すりを設け、天井壁９の上の外側周囲にも手すりを設けることで、避難に遅れたときに避難コンテナ４の出入口３、３の扉が閉鎖されていても該避難コンテナ４の上へ避難し、さらに、ハッチ１１から中に避難することが可能である。(図示せず)
【００２４】
図４は避難コンテナ４の平面図、図５は正面図、図６は側面図で、台座２は土中に固定した複数枚の鋼矢板１２、１２、１２、・・を結合して構成した支柱ユニット１３で、２つの支柱ユニット１３、１３を対向して１対の台座２とし、該台座２の内に前記避難コンテナ４を設置している。
【００２５】
前記支柱ユニット１３、１３を構成する鋼矢板１２、１２、１２、・・は、津波シェルター1を設置する場所や地質により、形状が規格化された鋼矢板(図７に汎用鋼矢板の事例を表示、Ｕ型鋼矢板(a)、ハット型鋼矢板(b)、直線型鋼矢板(c)がある。)および必要とする形状の鋼矢板を溶接により製作し、重機を用いて土中に打ち込み、固定させる。
【００２６】
前記支柱ユニット１３を構成するそれぞれの支柱の両側には、避難コンテナ４の横および縦へのはみ出しを防止するためのガイドとして、それぞれを独立した鋼矢板ですることもできるが、事例では溶接により製作した鋼矢板の支柱１４、１４を設けている。
【００２７】
これらの支柱１４、１４は上下方向に延設されており、避難コンテナ４の昇降をガイドするもので、水位が上昇した時に前記避難コンテナ４が支柱１４、１４に沿って土中から上方に垂設する長さ１５の範囲内で浮力により上昇し、水位が低下すると避難コンテナ４が支柱１４、１４に沿って下降する。
【００２８】
１６、１６は前記支柱１４、１４のそれぞれの上部に溶接、あるいはボルト固定等の方法で取り付けたストッパーで、前記避難コンテナ４が規定値以上に上昇するのを阻止し、避難コンテナ４が台座２から離れて海上に流されるのを防止する。
【００２９】
前記ストッパー１６、１６の規定値とは、津波到来時に想定される最高水位を指し、ストッパーはこの最高水位以上の位置に設け、避難コンテナ４の上昇が停止した位置で海上に流されず、該避難コンテナ４が水位上に浮遊するようにしている。゛
【００３０】
また、前記支柱１２、１２、１２・・による支柱ユニット１３は図４に示すように該支柱ユニット１３、１３間に配置した避難コンテナ４の外側に向かって鋭角となる折曲部１７、１７を形成し、該折曲部を津波の到来方向と津波の引き方向に配置し、津波が到来したときに、その衝撃を折曲部が円滑に分散するようにしている。
【００３１】
前記折曲部の角度１７は、津波シェルターを設置する場所から想定される台座２が、津波から受ける応力、地質の柔硬度、鋼矢板を打ち込む深さに関連して設定される。
【００３２】
実施例として、図４では、避難コンテナ４のガイド支柱１４に溶接鋼矢板、ガイド支柱１４、１４および支柱ユニット１３の補強としてガイド支柱１４、１４の間に汎用のＵ型鋼矢板、先端の折曲部１７、１７には溶接鋼矢板、その他は汎用の直線型鋼矢板を用いた構成としたが、例えば、先端の折曲部１７、１７にはパイプ材を使用することもできる。また、本発明の津波シェルターの台座専用の鋼矢板を圧延あるいは溶接により成型加工して構成することができる。  
【００３３】
また、前記支柱ユニット１３の鋼矢板に囲まれた部分をコンクリートで固めたり、バラスを入れることで支柱ユニット１３を一体化し、より強固にすることができる。(図示せず)
【００３４】
前記台座２は、配置される避難コンテナ４の両端に据付台となるコンクリート基礎１９、１９を設けている。基礎１９、１９の地上高は、避難コンテナ４が津波で浮上し、元に戻るときに人や浮遊物が下敷きになっても良いように３０センチ以上が好ましい。上限は、避難コンテナ４がストッパー１６、１６で止まる最高値まで可能で、必要により出入口への階段を設ける必要がある。
【００３５】
以上のように、本実施形態によれば、設置が容易で津波が到来しても安心して避難することができ、且つ、安価な津波シェルターが提供できる。また、避難が遅れた人も救助できるなど、臨機応変に対応が可能である。
【００３６】
さらに、近年、大きな津波被害を被ったインドネシア共和国やメラネシアなどの観光地の海岸に、今般発明の津波シェルターの支柱の最上部や避難コンテナに、世界統一された津波避難場所のロゴマークを表記するような仕組みを設け、設置できれば、安心して旅行することができる。
【産業上の利用可能性】
【００３７】
本発明により、津波到来時にも安定した姿勢を維持でき、安全を確保できる津波シェルターを、低価格で提供することができる。
【図面の簡単な説明】
【００３８】
【図１】図１は先行技術の津波本体シェルターの説明図である。
【図２】図２は本発明の津波シェルターの外観斜視図である。
【図３】図３は同じく避難コンテナ部の外観斜視図であるである。
【図４】図４は同じく平面図である。
【図５】図５は同じく正面図である。
【図６】図６は同じく側面図である。
【図７】図７は汎用鋼矢板の種類ごとの平面図である。
【符号の説明】
【００３９】
１ 津波シェルター
２ 台座          
３ 避難用出入口
４ 避難コンテナ  
５ 正面側壁        
６ 左側側壁              
７ 後面側壁
８ 右側側壁    
９ 天井壁    
１０ 床壁
１１ 避難用ハッチ  
１２ 鋼矢板
１３ 支柱ユニット
１４ ガイド
１５ 地上〜台座の頂上部までの長さ
１６ ストッパー
１７ 折曲部
１８ 折曲部の角度
１９ 基礎
(a) Ｕ型鋼矢板          
(b) ハット型鋼矢板  
(c) 直線型鋼矢板
【手続補正書】
【提出日】平成22年6月8日(2010.6.8)
【手続補正１】
【補正対象書類名】特許請求の範囲
【補正対象項目名】全文
【補正方法】変更
【補正の内容】
【特許請求の範囲】
【請求項１】
津波の水位によって浮揚可能な避難コンテナと、前記避難コンテナの対向する２つの隅部に当接して該避難コンテナを上下方向へガイドする土中に打ち込んだ支柱からなる一対の台座と、前記台座間に前記避難コンテナが津波によって浮上し元に戻るときに人や浮遊物が下敷きになっても安全を確保できる一定の空間を得るためにガイド下部の内側に設けた据付台とを有することを特徴とする津波シェルター。
【請求項２】
前記台座は、前記支柱の頂上部に前記避難コンテナが規定値以上に上昇するのを阻止するストッパーが設けられていることを特徴とする請求項1に記載の津波シェルター。
【請求項３】
前記台座は、前記支柱を一対の支柱ユニットで構成し、前記支柱ユニットにガイド支柱を連結して、前記ガイド支柱により前記避難コンテナが上下方向へガイドされることを特徴とする請求項１又は２に記載の津波シェルター。
【請求項４】
前記支柱は、複数枚の鋼矢板を結合して構成されていることを特徴とする請求項１〜３のいずれかに記載の津波シェルター。
【請求項５】
前記台座は、少なくとも津波の到来方向に対して鋭角になっていることを特徴とする請求項１〜４のいずれかに記載の津波シェルター。
【請求項６】
前記避難コンテナは、所定面積の床壁と前記床壁から所定高さに立設した外側壁と前記外側壁の頂部を塞いだ天井壁とで囲まれて内部に所定容積の空間を有する直方体形状のコンテナからなり、少なくとも前記天井壁に緊急用のハッチが設けられていることを特徴とする請求項１に記載の津波シェルター。
【請求項７】
前記避難コンテナは、前記外側壁の外側及び前記天井壁の外側周囲の少なくともいずれかに手すりが設けられていることを特徴とする請求項１に記載の津波シェルター。
【請求項８】
前記台座の支柱は、前記鋼矢板に囲まれた部分をコンクリート又は砕石を入れて固定されていることを特徴とする請求項４に記載の津波シェルター。
【手続補正２】
【補正対象書類名】明細書
【補正対象項目名】全文
【補正方法】変更
【補正の内容】
【発明の詳細な説明】
【技術分野】
【０００１】
本発明は、地震による津波到来時に避難し、人的被害を小さくする津波シェルターに関するものである。
【背景技術】
【０００２】
近年、東アジアにおいて大地震が多発し、死傷者が多くでているが、死傷者が多い原因は津波に流されたときに、流木等で頭部等を打撲したことによるものである。津波災害に合わないためには、早く安全な処に避難することであるが、地震発生の場所が近いときには高台等へ避難する時間的余裕がなく、身近なところに避難施設が求められている。特に老人や障害者には高台への避難が不可能である。
【０００３】
そこで、津波の到来時には海面に浮遊するようになされた津波シェルターが提案された(特許文献１)。このシェルターは、通常の状態では津波シェルター本体が基礎地盤に載置されており、津波到来時には海面の上昇によって津波シェルター本体が基礎地盤から離れて海面に浮遊するように構成されている。
【先行技術文献】
【特許文献】
【０００４】
【特許文献１】特開２００８―７４３８５号公報(図１参照)
【発明の概要】
【発明が解決しようとする課題】
【０００５】
しかしながら、上記特許文献１の津波シェルターでは、津波シェルター本体と基礎地盤との間に連結された連結索および連結索の取り付け部の強度を相当強固なものにする必要がある。もし、連結索の強度が弱ければ、津波到来時の急激な海面上昇と想像を絶する海水の移動により、連結索が切断され津波シェルター本体が沖合いに流される危険がある。また、建物などの漂流物が連結索に絡まる等により津波シェルター本体が水中に押し沈められ、水没した状態に置かれる事態も考えられ、危険である。
【０００６】
また、前記津波シェルターにおいては、浮遊中の揺動を抑制するとしているが、相当の揺れが想定され、津波シェルター本体内に身体を固定させる等の対策も必要になる。
【０００７】
そこで、本発明は上記問題点を解消し、津波到来時にも安定した姿勢を維持できる津波シェルター装置を低価格で提供することを目的とした。
【課題を解決するための手段】
【０００８】
本発明は、第１に、津波の水位によって浮揚可能な避難コンテナと、前記避難コンテナの対向する２つの隅部に当接して該避難コンテナを上下方向へガイドする土中に打ち込んだ支柱からなる一対の台座と、前記台座間に前記避難コンテナが津波によって浮上し元に戻るときに人や浮遊物が下敷きになっても安全を確保できる一定の空間を得るためにガイド下部の内側に設けた据付台とを有する。
【０００９】
本発明は、第２に、前記台座は、前記支柱の頂上部に前記避難コンテナが規定値以上に上昇するのを阻止するストッパーが設けられている。
【００１０】
本発明は、第３に、前記台座は、前記支柱を一対の支柱ユニットで構成し、前記支柱ユニットにガイド支柱を連結して、前記ガイド支柱により前記避難コンテナが上下方向へガイドされる。
【００１１】
本発明は、第４に、前記支柱は、複数枚の鋼矢板を結合して構成されている。
【００１２】
本発明は、第５に、前記台座は、少なくとも津波の到来方向に対して鋭角になっている。
【００１３】
本発明は、第６に、前記避難コンテナは、所定面積の床壁と前記床壁から所定高さに立設した外側壁と前記外側壁の頂部を塞いだ天井壁とで囲まれて内部に所定容積の空間を有する直方体形状のコンテナからなり、少なくとも前記天井壁に緊急用のハッチが設けられている。
【００１４】
本発明は、第７に、前記避難コンテナは、前記外側壁の外側及び前記天井壁の外側周囲の少なくともいずれかに手すりが設けられている。
【００１５】
本発明は、第８に、前記台座の支柱は、前記鋼矢板に囲まれた部分をコンクリート又は砕石(バラス)を入れて固定されている。
【発明の効果】
【００１６】
本発明の津波シェルターは津波の水位によって浮揚可能な避難コンテナと、前記避難コンテナの対向する２つの隅部に当接して該避難コンテナを上下方向へガイドする土中に打ち込んだ支柱からなる一対の台座と、前記台座間に前記避難コンテナが津波によって浮上し元に戻るときに人や浮遊物が下敷きになっても安全を確保できる一定の空間を得るためにガイド下部の内側に設けた据付台とで構成されているから、津波により緊急に避難する場合、当該津波シェルターの避難コンテナの中へ避難することで安全が確保でき、また、前記避難コンテナの据付台が設けられていることから、津波が引いた後、該避難コンテナは安全に元の場所に戻ることができる。
【００１７】
本発明の前記台座は、前記支柱の頂上部に前記避難コンテナが規定値以上に上昇するのを阻止するストッパーが設けられているので、想定を超える津波であっても、海上へ流されることはない。
【００１８】
本発明の前記台座は、前記支柱を一対の支柱ユニットで構成し、前記支柱ユニットにガイド支柱を連結して、前記ガイド支柱により前記避難コンテナが上下方向へガイドされるので、前記避難コンテナは水位により上下方向に昇降するが台座から離脱することはない。
【００１９】
本発明の前記支柱は、複数枚の鋼矢板を結合して構成されているから、全体として面状の壁体を形成した強固な構造物となる。また、他の工法と比べ強固で低価格の施工ができる。
【００２０】
本発明の前記台座は、少なくとも津波の到来方向に対して鋭角になっているので、これにより、押し寄せた津波の衝撃が大きくとも、そのエネルギーを円滑に分散し、また、流木等の衝突時の衝撃を逃すことができ、該台座間にある避難コンテナを安全に保つことができる。
【００２１】
本発明の前記避難コンテナは、所定面積の床壁と前記床壁から所定高さに立設した外側壁と前記外側壁の頂部を塞いだ天井壁とで囲まれて内部に所定容積の空間を有する直方体形状のコンテナからなり、少なくとも前記天井壁に緊急用のハッチが設けられているから、閉鎖時に密閉状態が維持できるので、想定を越える津波で避難コンテナが一時的に水没しても安全を確保できる。また、天井壁に緊急用のハッチが設けてあるので、出入口が使用できないときの緊急の救出、避難に使用することができる。
【００２２】
本発明の前記避難コンテナは、前記外側壁の外側及び前記天井壁の外側周囲の少なくともいずれかに手すりが設けられているので、避難に遅れたときに避難コンテナの出入口扉が閉鎖されていても、手すりを上って該避難コンテナの上へ避難し、さらに、ハッチから避難コンテナの中に避難することも可能である。
【００２３】
本発明の前記台座の支柱は、前記鋼矢板に囲まれた部分をコンクリート又は砕石(バラス)を入れて固定されているので、支柱を一体化し、より強固になる。
【発明を実施するための最良の形態】
【００２４】
始めに図２の本発明の津波シェルター１の外観斜視図に基づき説明する。前記津波シェルター１は、津波の水位によって浮揚可能な避難コンテナ４と、前記避難コンテナ４の対向する２つの隅部に当接して該避難コンテナ４を上下方向へガイドする土中に打ち込んだ支柱１３からなる一対の台座２と、前記台座２間に前記避難コンテナ４が津波によって浮上し元に戻るとき、人や浮遊物が下敷きになっても安全を確保できる一定の空間を得るためにガイド１４下部の内側に設けられた据付台１９とで構成されている。
【００２５】
図３は、避難コンテナ４の外観斜視図で、所定面積の床壁１０と前記床壁から所定高さに立設した外側壁５、６、７、８と前記外側壁の頂部を塞いだ天井壁９とで囲まれて内部に所定容積の空間を有する直方体形状のコンテナ４からなり、前記外側壁５、７に開放自在な出入り口３、３が設けられている。また、該直方体形状のコンテナの構造、強度、製造技術は周知されており、且つ低価格での製作ができる。
【００２６】
また、前記避難コンテナ４は、閉鎖時に密閉状態が維持できるので、想定を越える津波で避難コンテナ４が一時的に水没しても安全を確保できる。また、天井壁９に緊急用のハッチ１１が設けてあるので、出入口３、３が使用できないときの緊急の救出、避難に使用することができる。
【００２７】
天井壁９に設けたハッチ１１は、対衝撃性のあるガラスやプラスチックにすることで、避難コンテナ４の上部に流木等が載っていないかなど外部の確認をすることができる。
【００２８】
前記避難コンテナ４の外側壁５、７の外側及び天井壁９の外側周囲の少なくともいずれかに手すりが設けられているので、避難に遅れたときには外側壁５、７に設けられている手すりを利用し、該避難コンテナ４の上へ避難することができる。(図示せず)
【００２９】
図４は津波シェルター１を構成する避難コンテナ４と台座２および据付台１９との平面図、図５は正面図、図６は側面図である。台座２は土中に打ち込んだ複数枚の鋼矢板１２、１２、１２、・・を結合して構成した支柱ユニット１３にガイド支柱１４を連結して、該ガイド支柱１４により前記避難コンテナ４を上下方向へガイドする。
【００３０】
これらの支柱１４、１４は上下方向に延設されており、避難コンテナ４の昇降をガイドするもので、水位が上昇した時に前記避難コンテナ４が支柱１４、１４に沿って土中から上方に垂設する長さ１５の範囲内で浮力により上昇し、水位が低下すると避難コンテナ４が支柱１４、１４に沿って下降する。
【００３１】
前記支柱ユニット１３を構成する鋼矢板１２、１２、１２、・・は、津波シェルター1を設置する場所や地質により、形状が規格化された鋼矢板＜(図７に汎用鋼矢板の事例を表示、Ｕ型鋼矢板(a)、ハット型鋼矢板(b)、直線型鋼矢板(c)がある。＞、あるいは本発明の津波シェルターの台座専用の鋼矢板を圧延あるいは溶接により成型加工して構成することができる。
【００３２】
実施例として、図４では、避難コンテナ４のガイド支柱１４に溶接鋼矢板、ガイド支柱１４、１４および支柱ユニット１３の補強としてガイド支柱１４、１４の間に汎用のＵ型鋼矢板、先端の折曲部１７、１７には溶接鋼矢板、その他は汎用の直線型鋼矢板を用いた構成としている。  
【００３３】
ストッパー１６、１６は前記支柱１４、１４のそれぞれの上部に溶接、あるいはボルト固定等の方法で取り付けられており、前記避難コンテナ４が規定値以上に上昇するのを阻止し、避難コンテナ４が台座２から離れて海上に流されるのを防止する。
【００３４】
前記ストッパー１６、１６の規定値とは、津波到来時に想定される最高水位を指し、ストッパーはこの最高水位以上の位置に設け、避難コンテナ４の上昇が停止した位置で海上に流されず、該避難コンテナ４が水位上に浮遊するようにしている。
【００３５】
また、前記支柱１２、１２、１２・・による支柱ユニット１３は図４に示すように該支柱ユニット１３、１３間に配置した避難コンテナ４の外側に向かって鋭角となる折曲部１７、１７を形成し、該折曲部を津波の到来方向と津波の引き方向に配置し、津波が到来したときに、その衝撃を折曲部が円滑に分散するようにしている。
【００３６】
前記折曲部の角度１７は、津波シェルター１を設置する場所から想定される台座２が、津波から受ける応力、地質の柔硬度、鋼矢板を打ち込む深さに関連して設定される。
【００３７】
また、前記支柱ユニット１３の鋼矢板に囲まれた部分をコンクリートで固めたり、砕石(バラス)を入れることで支柱ユニット１３を一体化し、より強固にすることができる。(図示せず)
【００３８】
前記台座２間に前記避難コンテナ４が津波によって浮上し元に戻るときに人や浮遊物が下敷きになっても安全を確保できる一定の空間を得るためにガイド１４下部の内側に据付台１９を設けているが、地上高としては３０センチ以上が好ましい。
【００３９】
以上のように、本実施形態によれば、設置が容易で津波が到来しても安心して避難することができ、且つ、安価な津波シェルターが提供できる。また、避難が遅れた人も救助できるなど、臨機応変に対応が可能である。      
【００４０】
さらに、近年、大きな津波被害を被ったインドネシア共和国やメラネシアなどの観光地の海岸に、今般発明の津波シェルターの支柱の最上部や避難コンテナに、世界統一された津波避難場所のロゴマークを表記するような仕組みを設け、設置できれば、安心して旅行することができる。
【産業上の利用可能性】
【００４１】
本発明により、津波到来時にも安定した姿勢を維持でき、安全を確保できる津波シェルターを、低価格で提供することができる。
【図面の簡単な説明】
【００４２】
【図１】図１は先行技術の津波本体シェルターの説明図である。
【図２】図２は本発明の津波シェルターの外観斜視図である。
【図３】図３は同じく避難コンテナ部の外観斜視図であるである。
【図４】図４は同じく平面図である。
【図５】図５は同じく正面図である。
【図６】図６は同じく側面図である。
【図７】図７は汎用鋼矢板の種類ごとの平面図である。
【符号の説明】
【００４３】
１ 津波シェルター
２ 台座          
３ 避難用出入口
４ 避難コンテナ  
５ 正面側壁        
６ 左側側壁              
７ 後面側壁
８ 右側側壁    
９ 天井壁    
１０ 床壁
１１ 避難用ハッチ  
１２ 鋼矢板
１３ 支柱ユニット
１４ ガイド
１５ 地上〜台座の頂上部までの長さ
１６ ストッパー
１７ 折曲部
１８ 折曲部の角度
１９ 据付台
(a) Ｕ型鋼矢板          
(b) ハット型鋼矢板  
(c) 直線型鋼矢板